Podtech/llm-jp-corpus-v4-ja_patent huggingface dataset:
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
移動体の制御を行う制御システムであって、
車線内の走行方向に沿った位置に対応する複数の位置情報を含む第１の車線情報と、車線内の走行方向に沿った位置に対応する複数の位置情報を含む第２の車線情報とを記憶した記憶部を有し、
前記第１の車線情報に含まれる前記複数の位置情報と、前記第２の車線情報に含まれる前記複数の位置情報とが、間に区画線が存在しない一つの車線内の幅方向に隣接する位置に対応しており、
前記制御装置は、さらに、移動体に対して、前記第１の車線情報を利用して、間に車線境界線が存在しない一つの車線内であって前記一つの車線内の右側寄りを走行させ、前記第２の車線情報を利用して、間に区画線が存在しない一つの車線内であって、前記一つの車線内の左側寄りを走行させるように制御する制御部を有する制御システム。
【請求項２】
請求項１に記載の制御システムにおいて、
車線が特定の属性を有することをあらわす属性情報と、
車線の右側の区画線の線形状をあらわす情報を含む第１の区画線情報と、
車線の左側の区画線の線形状をあらわす情報を含む第２の区画線情報とを有し、
前記制御部は、前記属性情報に基づき前記第１の車線情報に対応する車線が前記特定の属性を有する場合、少なくとも前記第１の区画線情報に基づき、移動体を、前記第１の区画線情報があらわす区画線の位置と前記第２の区画線情報があらわす区画線の位置との間であって、前記第１の区画線情報があらわす区画線の位置と前記第２の区画線情報があらわす区画線の位置の中心よりも右側を走行させるように制御する制御システム。
【請求項３】
記憶部に記憶された地図データを、移動体の走行を支援する走行支援機能を有する制御部に参照させる参照機能を実現させるためのプログラムであって、
前記地図データは、車線内の走行方向に沿った位置に対応する複数の位置情報を含む第１の車線情報と、車線内の走行方向に沿った位置に対応する複数の位置情報を含む第２の車線情報とを含み、
前記第１の車線情報に含まれる前記複数の位置情報と、前記第２の車線情報に含まれる前記複数の位置情報とが、間に区画線が存在しない一つの車線内の幅方向に隣接する位置に対応しており、
前記参照機能は、前記第１の車線情報及び前記第２の車線情報を参照させる機能を含み、
前記走行支援機能は、移動体に対して、前記第１の車線情報を利用して、間に車線境界線が存在しない一つの車線内であって前記一つの車線内の右側寄りを走行させ、前記第２の車線情報を利用して、間に区画線が存在しない一つの車線内であって、前記一つの車線内の左側寄りを走行させるように制御する機能を含むプログラム。
【手続補正２】
【補正対象書類名】明細書
【補正対象項目名】発明の名称
【補正方法】変更
【補正の内容】
【発明の名称】制御システム及びプログラム
【手続補正３】
【補正対象書類名】明細書
【補正対象項目名】０００５
【補正方法】変更
【補正の内容】
【０００５】
一実施形態として、移動体の制御を行う制御システムを提供する。この制御システムは、車線内の走行方向に沿った位置に対応する複数の位置情報を含む第１の車線情報と、車線内の走行方向に沿った位置に対応する複数の位置情報を含む第２の車線情報とを記憶した記憶部を有し、第１の車線情報に含まれる複数の位置情報と、第２の車線情報に含まれる複数の位置情報とが、間に区画線が存在しない一つの車線内の幅方向に隣接する位置に対応しており、制御装置は、さらに、移動体に対して、第１の車線情報を利用して、間に車線境界線が存在しない一つの車線内であって一つの車線内の右側寄りを走行させ、第２の車線情報を利用して、間に区画線が存在しない一つの車線内であって、一つの車線内の左側寄りを走行させるように制御する制御部を有する。
【手続補正４】
【補正対象書類名】明細書
【補正対象項目名】０００６
【補正方法】変更
【補正の内容】
【０００６】
上記の実施形態において、車線が特定の属性を有することをあらわす属性情報と、車線の右側の区画線の線形状をあらわす情報を含む第１の区画線情報と、車線の左側の区画線の線形状をあらわす情報を含む第２の区画線情報とを有し、制御部は、属性情報に基づき第１の車線情報に対応する車線が特定の属性を有する場合、少なくとも第１の区画線情報に基づき、移動体を、第１の区画線情報があらわす区画線の位置と第２の区画線情報があらわす区画線の位置との間であって、第１の区画線情報があらわす区画線の位置と第２の区画線情報があらわす区画線の位置の中心よりも右側を走行させるように制御する。
【手続補正５】
【補正対象書類名】明細書
【補正対象項目名】０００７
【補正方法】変更
【補正の内容】
【０００７】
他の実施形態として、記憶部に記憶された地図データを、移動体の走行を支援する走行支援機能を有する制御部に参照させる参照機能を実現させるためのプログラムを提供する。このプログラムにおいて、地図データは、車線内の走行方向に沿った位置に対応する複数の位置情報を含む第１の車線情報と、車線内の走行方向に沿った位置に対応する複数の位置情報を含む第２の車線情報とを含み、第１の車線情報に含まれる複数の位置情報と、第２の車線情報に含まれる複数の位置情報とが、間に区画線が存在しない一つの車線内の幅方向に隣接する位置に対応しており、参照機能は、第１の車線情報及び第２の車線情報を参照させる機能を含み、走行支援機能は、移動体に対して、第１の車線情報を利用して、間に車線境界線が存在しない一つの車線内であって一つの車線内の右側寄りを走行させ、第２の車線情報を利用して、間に区画線が存在しない一つの車線内であって、一つの車線内の左側寄りを走行させるように制御する機能を含む。
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
飛行体の制御方法であって、
ユーザが端末から特定制御を要求すると、前記ユーザからの進行操作に応じた前記飛行体の進行方向が反転する、飛行体の制御方法。
【請求項２】
前記飛行体は、撮影装置を有する、請求項１に記載の飛行体の制御方法。
【請求項３】
前記撮影装置は、ＶＲカメラである、請求項２に記載の飛行体の制御方法。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
卵パックの２列に並んだ卵の間に形成されたラベル配置領域に沿って搬送される卵パックに長方形状のラベルを一枚ずつ投入するラベル投入装置であって、
立たせたラベルの下縁の長辺を前記ラベル配置領域に沿わせ、
前記ラベルを長辺方向へ放出する放出機構を備えたラベル投入装置。
【請求項２】
前記放出機構は、前記ラベルの先端部が前記ラベルの基端部よりも下方に位置するように傾けて放出する請求項１記載のラベル投入装置。
【手続補正２】
【補正対象書類名】明細書
【補正対象項目名】０００７
【補正方法】変更
【補正の内容】
【０００７】
本発明のラベル投入装置は、卵パックの２列に並んだ卵の間に形成されたラベル配置領域に沿って搬送される卵パックに長方形状のラベルを一枚ずつ投入するラベル投入装置であって、立たせたラベルの下縁の長辺を前記ラベル配置領域に沿わせ、前記ラベルを長辺方向へ放出する放出機構を備えた。
【手続補正書】
【提出日】令和3年7月20日(2021.7.20)
【手続補正１】
【補正対象書類名】明細書
【補正対象項目名】００５６
【補正方法】変更
【補正の内容】
【００５６】
上記のようにフラップ６，７を閉じると、図１２に示すように、繋部罫線１４ｂは段ボールの表面側が突き出す山折りとなり、繋部罫線１４ａは段ボールの裏面側が窪む谷折りとなって、隅折繋部１４が繋部罫線１４ａ，１４ｂに沿って張り出すように折れ曲がり、周壁１の形状が安定するので、フラップ６，７のロックが外れにくくなる。
【手続補正２】
【補正対象書類名】明細書
【補正対象項目名】００５７
【補正方法】変更
【補正の内容】
【００５７】
ところで、ショートフラップ形式の収納箱を用いたキャベツ等の農産物の輸送過程においては、トラックの保冷庫に積み込んだ状態で、天面の開口部から露出した農産物に冷気が直接触れることを防止すると共に、農産物の傷付きを防止するため、収納箱を天地反転させて段積みすることがある。
【誤訳訂正書】
【提出日】令和3年9月1日(2021.9.1)
【誤訳訂正１】
【訂正対象書類名】特許請求の範囲
【訂正対象項目名】全文
【訂正方法】変更
【訂正の内容】
【特許請求の範囲】
【請求項１】
光ファイバー（２）を巻き取るための第１リール（３）に、前記光ファイバー（２）を分配するための分配ホイール（１）と、
前記第１リール（３）を前記第１リール（３）の中心軸（３−１）を中心に回転させ、前記光ファイバー（２）を前記第１リール（３）に巻き付けるために、異なる位置の間で前記第１リール（３）を前記中心軸（３−１）に沿って移動させるための、及び前記第１リール（３）が満杯であるとき、前記第１リール（３）を交換領域（６）へ移動させるための、案内軌道上に移動可能に配置された巻取機（４）と、
前記第１リール（３）が前記交換領域（６）にあるとき、前記光ファイバー（２）を前記第１リール（３）に取り付けるための取付装置（５）と、
前記第１リール（３）が満杯であるとき、前記光ファイバー（２）を切断するためのカッター（７）と、
前記分配ホイール（１）によって提供された、前記光ファイバー（２）をつかむための、且つ、前記光ファイバー（２）の取り付け及び切断中、及び、満杯の前記第１リールが前記交換領域（６）から取り外され、空の第２リールが前記光ファイバー（２）の巻き取りを継続するために前記交換領域（６）に提供される間、前記光ファイバー（２）を静止させておくためのグリッパー（８）と、を含む、単一リール巻取装置において、
前記巻取機（４）は、前記グリッパー（８）が前記分配ホイール（１）と前記分配ホイール（１）に最も近い第１リール（３）のフランジの間の位置で、前記光ファイバー（２）をつかむことができるように、前記第１リール（３）が満杯であるとき、前記第１リール（３）を前記分配ホイール（１）から遠ざけるように配置され、
前記第１リール（３）の取り出し後、前記分配ホイール（１）に最も近くに位置される第２リール（９）のフランジは、前記取付装置（５）が前記光ファイバー（２）を前記フランジに取り付けることができるように、前記光ファイバー（２）が前記第２リール（９）のフランジをはみ出す位置に、前記空の第２リールを移動させることを特徴とする、単一リール巻取装置。
【請求項２】
前記グリッパー（８）は前記光ファイバーをつかむために、開閉するように配置された可動顎を含む、請求項１による単一リール巻取装置。
【請求項３】
前記グリッパー（８）は、前記グリッパー（８）を前記光ファイバー（２）に近づけ、そして、前記光ファイバー（２）から遠ざけるためのアクチュエータ（８−１）を含むことを特徴とする、請求項１による単一リール巻取装置。
【請求項４】
前記取付装置（５）は、ばね付勢フレーム（１４）と、テープ片を受け取るためのコレクター（１５）と、前記取付装置（５）を移動させ、前記光ファイバー（２）をリールに取り付けるために、前記テープ片を有するコレクター（１５）を、前記光ファイバー（２）と前記リールに押し付けるためのアクチュエータ（５−１）と、を含むことを特徴とする、請求項１による単一リール巻取装置。
【請求項５】
前記単一リール巻取装置は、テープ片を切断し、且つ供給するように構成されたテープ供給所（１６）を含むことを特徴とする、請求項１による単一リール巻取装置。
【請求項６】
前記コレクター（１５）は、テープ供給所（１６）から前記テープ片を受け取るための、吸引パッドを含むことを特徴とする、請求項４による単一リール巻取装置。
【請求項７】
前記取付装置（５）は、前記光ファイバー（２）をテープ片でリールに取り付けるために、テープ供給所（１６）から、前記テープ片を受け取るよう構成されることを特徴とする、請求項１による単一リール巻取装置。
【請求項８】
前記カッター（７）は、前記取付装置（５）のコレクター（１５）が前記光ファイバー（２）とリールに押し付けられたとき、単一動作で、前記光ファイバー（２）を前記リールに取り付け、そして、前記光ファイバー（２）を切断するために、前記取付装置（５）のばね付勢フレーム（１４）と並んで配置された、刃物であることを特徴とする、請求項１による単一リール巻取装置。
【請求項９】
アクチュエータは、前記取付装置（５）の前記コレクター（１５）が前記光ファイバー（２）と前記空の第２リール（９）に押し付けられたとき、前記取付装置（５）の前記ばね付勢フレーム（１４）の圧縮を制限するように構成される、請求項８による単一リール巻取装置。
【請求項１０】
光ファイバー（２）を第１リール（３）に分配するための分配ホイール（１）を含む、単一リール巻取装置で満杯の前記第１リール（３）を交換するための方法であって、
前記光ファイバー（２）が前記第１リール（３）のフランジからはみ出すまで、前記第１リール（３）が満杯であるときに、前記第１リール（３）を前記分配ホイール（１）から遠ざけ、
前記分配ホイール（１）と前記第１リール（３）の前記フランジの間の位置で、前記光ファイバー（２）をグリッパー（８）でつかみ、
前記光ファイバー（２）を前記第１リール（３）のフランジに取り付け、
前記光ファイバー（２）をグリッパー（８）と前記フランジの間の位置で切断し、
前記第１リール（３）を取り外し、
空の第２リールを前記光ファイバー（２）が前記第２リール（９）のフランジをはみ出す位置に移動させ、
前記光ファイバー（２）を前記第２リール（９）の前記フランジに取り付け、
前記光ファイバーを前記グリッパー（８）から解放し、
前記第２リール（９）への前記光ファイバー（２）の巻き取りを開始する工程からなる、方法。
【請求項１１】
請求項１０による、単一リール巻取装置で満杯の第１リール（３）を交換する方法であって、
前記光ファイバー（２）は、テープ片を使用することによって、前記第１リール（３）の前記フランジに取り付けられる工程を含む、方法。
【誤訳訂正２】
【訂正対象書類名】明細書
【訂正対象項目名】００１１
【訂正方法】変更
【訂正の内容】
【００１１】
図４は、光ファイバー２を第１リール３に分配するための分配ホイール１を含む、単一リール巻取装置にある満杯の第１リール３を交換するための方法のブロックダイアグラムを示す。前記方法は、（Ａ）光ファイバー２が第１リール３のフランジからはみ出すまで、第１リール３が満杯であるときに、第１リール３を分配ホイール１から遠ざけるように移動し、（Ｂ）分配ホイール１と第１リール３のフランジの間の位置で、光ファイバー２をつかみ、（Ｃ）光ファイバー２を第１リール３に取り付け、（Ｄ）光ファイバー２をグリッパー８と前記フランジの間の位置で切断し、（Ｅ）第１リール３を取り外し、（Ｆ）空の第２リールを光ファイバー２が第２リール９のフランジをはみ出す位置に移動し、（Ｇ）光ファイバー２を第２リール９のフランジに取り付け、（Ｈ）グリッパー８から光ファイバーを解放し、（Ｉ）第２リール９への光ファイバー２の巻き取りを開始すること、を含む。
【誤訳訂正３】
【訂正対象書類名】図面
【訂正対象項目名】図４
【訂正方法】変更
【訂正の内容】
【図４】
2019202888.tif 000001
【手続補正書】
【提出日】令和3年3月16日(2021.3.16)
【手続補正１】
【補正対象書類名】明細書
【補正対象項目名】００２６
【補正方法】変更
【補正の内容】
【００２６】
ダクト１１７の後側部分１２０は、センターコンソール１０２内に配置され、その後端が、カップホルダー１０６の周壁１１０に形成された開口１１２、１１４に接続されている。これにより、ダクト１１７の後側部分１２０は、前側部分１１８からの空気をカップホルダー１０６の開口１１２、１１４まで案内できる。
【手続補正２】
【補正対象書類名】明細書
【補正対象項目名】００３５
【補正方法】変更
【補正の内容】
【００３５】
図５は、図３（ａ）のカップホルダー１０６およびフィンユニット１１６の各断面を示す図である。図５（ａ）、図５（ｂ）はそれぞれ、図３（ａ）のＣ−Ｃ断面、Ｄ−Ｄ断面を示す図である。
【手続補正３】
【補正対象書類名】明細書
【補正対象項目名】００３７
【補正方法】変更
【補正の内容】
【００３７】
ここで、カップホルダー１０６の開口１１２、１１４の縁１２８、１３０には、カップホルダー１０６を金型により成形する際にいわゆるパーティングライン（尖った形状）が形成される場合がある。これに対して周辺構造１００では、フィンユニット１１６の膨出部１２４、１２６が開口１１２、１１４の縁１２８、１３０より容器１０８側に膨出しているため、パーティングラインを膨出部１２４、１２６によって覆い隠すことができる。
【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
ユーザに関連づけて印刷データを記憶する記憶手段と、
ユーザを認証するユーザ認証手段と、
ユーザ認証手段によりユーザ認証されたことに従って、ユーザによる印刷指示なしで、認証されたユーザに関連づけて前記記憶手段に記憶された印刷データに基づく印刷処理を実行する認証後自動印刷手段と、
を有する画像形成装置であって、
前記認証後自動印刷手段による印刷処理を実行後に、前記認証されたユーザに関連づけられた未印刷の印刷データが前記記憶手段に記憶されている場合、当該印刷データを少なくとも含む印刷データの一覧を、ユーザによる表示指示なしで表示する表示手段を有することを特徴とする画像形成装置。
【請求項２】
前記表示手段は、前記認証後自動印刷手段による印刷処理を実行後に、前記認証されたユーザに関連づけられた未印刷の印刷データが前記記憶手段に記憶されていない場合、前記画像形成装置の有する機能のうちユーザが使用する機能を選択するための機能選択画面を表示することを特徴とする請求項１に記載の画像形成装置。
【請求項３】
パスワードが付加された印刷データを、前記認証後自動印刷手段による印刷の対象とするか否かを制御する制御手段を有し、
前記制御手段により、パスワードが付加された印刷データが前記認証後自動印刷手段による印刷の対象外となっている場合、前記表示手段は、前記認証されたユーザに関連づけられた印刷データであって、パスワードが付加された印刷データを含む印刷データの一覧を表示することを特徴とする請求項１または２に記載の画像形成装置。
【請求項４】
前記認証手段によるユーザ認証が成功した場合にはパスワードが付加された印刷データについてパスワードの入力なしで印刷するか否かを設定する設定手段と、
前記制御手段は、前記設定手段による設定に基づいて、パスワード付の印刷データを、前記認証後自動印刷手段による印刷の対象とするか否かを制御することを特徴とする請求項３に記載の画像形成装置。
【請求項５】
前記設定手段により、前記認証手段によるユーザ認証が成功した場合にはパスワードが付加された印刷データについてパスワードの入力なしで印刷する設定がされている場合、前記制御手段は、パスワード付の印刷データを、前記認証後自動印刷手段による印刷の対象とするよう制御することを特徴とする請求項４に記載の画像形成装置。
【請求項６】
前記表示手段により表示される印刷データの一覧には、前記認証されたユーザに関連づけられた印刷データであって、暗号化が行われた印刷データが含まれることを特徴とする請求項１から５のいずれか１項に記載の画像形成装置。
【請求項７】
印刷データの識別情報と、当該印刷データを投入したユーザの識別情報と、当該印刷を少なくとも含む書誌情報を管理する管理手段と、
前記管理手段により管理されている書誌情報から、前記認証手段により認証されたユーザの識別情報を含む書誌情報を取得する取得手段と、を有し、
前記認証後自動印刷手段は、前記取得手段により取得された書誌情報に含まれる印刷データの識別情報により識別される印刷データの印刷を行うことを特徴とする請求項１から６のいずれか１項に記載の画像形成装置。
【請求項８】
ユーザに関連づけて印刷データを記憶し、ユーザがログインしたことに従って、ログインユーザによる印刷指示なしで、ログインユーザに関連づけて記憶された印刷データに基づく印刷処理を実行する自動印刷機能を有する画像形成装置の制御方法であって、
前記自動印刷機能による印刷処理を実行後に、前記ログインユーザに関連づけられた未印刷の印刷データが記憶されている場合には、当該印刷データを少なくとも含む印刷データの一覧を、ユーザによる表示指示なしで表示することを特徴とする制御方法。
【請求項９】
コンピュータを、請求項１から７のいずれか１項に記載の画像形成装置として動作させるためのプログラム。
【手続補正２】
【補正対象書類名】明細書
【補正対象項目名】０００７
【補正方法】変更
【補正の内容】
【０００７】
本発明は、ユーザに関連づけて印刷データを記憶する記憶手段と、ユーザを認証するユーザ認証手段と、ユーザ認証手段によりユーザ認証されたことに従って、ユーザによる印刷指示なしで、認証されたユーザに関連づけて前記記憶手段に記憶された印刷データに基づく印刷処理を実行する認証後自動印刷手段と、を有する画像形成装置であって、前記認証後自動印刷手段による印刷処理を実行後も前記認証されたユーザに関連づけられた未印刷の印刷データが前記記憶手段に記憶されている場合、当該印刷データを少なくとも含む印刷データの一覧を、ユーザによる表示指示なしで表示する表示手段を有することを特徴とする。
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
可視光を照射する可視光照射手段と、
前記可視光照射手段が前記可視光を照射する領域のうちロービーム領域よりも上側を赤外線照射領域として赤外線で照射する赤外線照射手段と、
前記可視光照射手段及び前記赤外線照射手段を制御する制御手段と、
前記可視光照射手段と前記赤外線照射手段により照射される被写体を撮像する撮像手段から出力される画像信号に基づいて前記被写体の属性を識別する識別手段と、
前記識別手段が識別した前記属性に基づいて、前記赤外線照射領域を上側領域と下側領域に区分する境界線を算出する境界線算出手段と、を備え、
前記制御手段は、前記境界線算出手段が算出した前記境界線に基づいて、前記上側領域の赤外線強度を前記下側領域の赤外線強度よりも弱くするように前記赤外線照射手段を制御することを特徴とする配光制御装置。
【請求項２】
請求項１に記載の配光制御装置において、
前記識別手段は、前記属性として交通標識と人物とを識別し、
前記境界線算出手段は、前記交通標識及び前記人物の座標位置データに基づいて、前記交通標識が上の領域に入るとともに、前記人物が下の領域に入るように前記境界線を算出することを特徴とする配光制御装置。
【請求項３】
請求項２に記載の配光制御装置において、
前記境界線算出手段は、複数の前記交通標識のそれぞれの座標位置データから第１平均座標位置と、複数の前記人物のそれぞれの座標位置から第２平均座標位置とを求め、前記第１平均座標位置と前記第２平均座標位置との中間点を前記境界線として算出することを特徴とする配光制御装置。
【請求項４】
請求項１に記載の配光制御装置において、
前記識別手段は、前記属性として交通標識と人物とを識別し、
前記境界線算出手段は、全ての前記交通標識が弱い赤外線で照射されるように座標位置データに基づいて前記境界線を算出することを特徴とする配光制御装置。
【請求項５】
請求項２又は３に記載の配光制御装置において、
前記制御手段は、前記境界線の上側領域において、前記識別手段が認識した前記交通標識を前記赤外線で照射しないように前記赤外線照射手段を制御することを特徴とする配光制御装置。
【請求項６】
請求項２から５の何れか一項に記載の配光制御装置において、
前記制御手段は、前記境界線の上側領域において、前記識別手段が識別した前記交通標識が可視光で照射されるように前記可視光照射手段を制御することを特徴とする配光制御装置。
【請求項７】
請求項１から６の何れか一項に記載の配光制御装置において、
前記赤外線照射手段は複数の点光源を有し、複数の前記点光源は前記赤外線照射領域の対応する部位を照明することを特徴とする配光制御装置。
【請求項８】
請求項１から７の何れか一項に記載の配光制御装置において、
前記可視光照射手段は複数の点光源を有し、複数の前記点光源は可視光照射領域の対応する部位を照明することを特徴とする配光制御装置。
【請求項９】
請求項１から８の何れか一項に記載の配光制御装置と、
前記撮像手段と、を有することを特徴とする投光システム。
【請求項１０】
可視光を照射する可視光照射ステップと、
前記可視光照射ステップで前記可視光を照射する領域のうちロービーム領域よりも上側を赤外線照射領域として赤外線で照射する赤外線照射ステップと、
前記可視光と前記赤外線が照射される被写体を撮像する撮像手段から出力される画像信号に基づいて前記被写体の属性を識別する識別ステップと、
前記識別ステップで識別した前記属性に基づいて、前記赤外線照射領域を上側領域と下側領域に区分する境界線を算出する境界線算出ステップと、
前記境界線算出ステップで算出した前記境界線に基づいて、前記上側領域の赤外線強度を前記下側領域の赤外線強度よりも弱くするように制御する制御ステップと、を有することを特徴とする配光制御方法。
【請求項１１】
請求項１０に記載の配光制御方法において、
前記識別ステップでは、前記属性として交通標識と人物とを識別し、
前記境界線算出ステップでは、前記交通標識及び前記人物の座標位置データに基づいて、前記交通標識が上の領域に入るとともに、前記人物が下の領域に入るように前記境界線を算出することを特徴とする配光制御方法。
【請求項１２】
請求項１１に記載の配光制御方法において、
前記境界線算出ステップでは、複数の前記交通標識のそれぞれの座標位置データから第１平均座標位置と、複数の前記人物のそれぞれの座標位置から第２平均座標位置とを求め、前記第１平均座標位置と前記第２平均座標位置との中間点を前記境界線として算出することを特徴とする配光制御方法。
【請求項１３】
請求項１０に記載の配光制御方法において、
前記識別ステップでは、前記属性として交通標識と人物とを識別し、
前記境界線算出ステップでは、全ての前記交通標識が弱い赤外線で照射されるように座標位置データに基づいて前記境界線を算出することを特徴とする配光制御方法。
【請求項１４】
請求項１１又は１２に記載の配光制御方法において、
前記制御ステップでは、前記境界線の上側領域において、前記識別ステップで認識した前記交通標識を前記赤外線で照射しないように制御することを特徴とする配光制御方法。
【請求項１５】
請求項１２から１４の何れか一項に記載の配光制御方法において、
前記制御ステップでは、前記境界線の上側領域において、前記識別ステップで識別した前記交通標識が可視光で照射されるように制御することを特徴とする配光制御方法。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
周回体と、
前記周回体を回転させる駆動手段と、
前記駆動手段を駆動制御する駆動制御手段と、
を備え、
前記駆動手段は、励磁されることにより前記周回体を回転させるステッピングモータであり、
前記駆動制御手段は、前記駆動手段を励磁して前記周回体の回転を加速させる所定駆動制御を行う所定駆動制御手段を備えており、
当該所定駆動制御手段は、前記所定駆動制御が行われる加速期間の途中で前記駆動手段に対して何ら励磁を行わない無励磁期間を発生させることを特徴とする遊技機。
【手続補正２】
【補正対象書類名】明細書
【補正対象項目名】０００８
【補正方法】変更
【補正の内容】
【０００８】
上記課題を解決すべく請求項１記載の発明は、周回体と、
前記周回体を回転させる駆動手段と、
前記駆動手段を駆動制御する駆動制御手段と、
を備え、
前記駆動手段は、励磁されることにより前記周回体を回転させるステッピングモータであり、
前記駆動制御手段は、前記駆動手段を励磁して前記周回体の回転を加速させる所定駆動制御を行う所定駆動制御手段を備えており、
当該所定駆動制御手段は、前記所定駆動制御が行われる加速期間の途中で前記駆動手段に対して何ら励磁を行わない無励磁期間を発生させることを特徴とする。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
ゴルフクラブでゴルフボールをショットしたときのショットデータ取得方法であって、
打席に設けられたゴルフクラブ読み取り装置を用いて、前記ゴルフクラブ読み取り装置の読み取りエリア内にあるゴルフクラブに記録保持されている、該ゴルフクラブを特定することができる識別情報を読み取る読み取り処理を定期的に行って、少なくとも１つのゴルフクラブの識別情報を取得するステップと、
ゴルフボールを前記打席でショットするゴルフクラブの挙動及びゴルフボールの挙動の少なくとも一方の挙動の計測をしてショットデータを取得するステップと、
前記ゴルフクラブによるショットの際に、ゴルフスイング中の特徴点の発生を検出するステップと、
前記ゴルフクラブ読み取り装置で読み取ることができた少なくとも1つの識別情報をショットするゴルフクラブの識別情報の候補とし、前記候補である前記識別情報について読み取ったタイミングと前記特徴点の検出のタイミングとの時間差を用いて、前記候補から、前記ショットするゴルフクラブの識別情報を特定するステップと、
特定した前記識別情報を前記ショットデータと対応付けて前記ショットデータをメモリに記録保存するステップと、
を備えることを特徴とするショットデータ取得方法。
【請求項２】
前記読み取り処理は、前記特徴点の発生前に定期的に行われ、
前記識別情報を特定するステップでは、前記候補のうち、前記特徴点の発生前の予め定めた設定時間範囲内に前記ゴルフクラブ読み取り装置で読み取ることができた識別情報を、前記ゴルフボールをショットするゴルフクラブの識別情報として特定する、請求項１に記載のショットデータ取得方法。
【請求項３】
前記読み取りエリアは、前記ゴルフスイング中のアドレスからトップ位置までのゴルフクラブの移動範囲のうち、アドレス時点に対応するゴルフクラブの位置を含む一部の範囲を含むが、残りの範囲を含まず、
特定する前記識別情報は、前記設定時間範囲内に前記ゴルフクラブ読み取り装置で読み取られた後、前記特徴点の発生前に、前記ゴルフクラブの位置が前記読み取りエリアから外れて前記ゴルフクラブ読み取り装置で読み取り不可となった識別情報である、請求項２に記載のショットデータ取得方法。
【請求項４】
前記特徴点は、前記ゴルフボールをショットすること、ゴルフスイングのテークバック時にゴルフクラブが位置センサの検出位置を通過すること、あるいは、ゴルフスイングのダウンスイング時にゴルフクラブが位置センサの検出位置を通過すること、である、請求項１〜３のいずれか１項に記載のショットデータ取得方法。
【請求項５】
前記ショットデータを取得するステップは、特定した前記識別情報に応じて、前記ゴルフクラブのゴルフクラブヘッドの挙動の計測結果から前記ショットデータを算出するための処理パラメータを設定することを含む、請求項１〜４のいずれか１項に記載のショットデータ取得方法。
【請求項６】
前記ショットデータを取得するステップは、特定した前記識別情報に応じて、前記ゴルフボールのショット後の挙動を計測するための計測条件を変更する、請求項１〜５のいずれか１項に記載のショットデータ取得方法。
【請求項７】
特定する前記識別情報は、前記ショットするゴルフクラブのゴルフクラブヘッドを特定することができるゴルフクラブヘッド識別情報、及び前記ショットするゴルフクラブのゴルフクラブシャフトを特定することができるゴルフクラブシャフト識別情報を含む、請求項１〜６のいずれか１項に記載のショットデータ取得方法。
【請求項８】
ゴルフクラブに記録保持された前記識別情報は、ＲＦタグに記録保持された情報であり、前記ゴルフクラブ読み取り装置は、ＲＦタグ読み取り機である、請求項１〜７のいずれか１項に記載のショットデータ取得方法。
【請求項９】
前記ゴルフクラブ読み取り装置が複数の識別情報を読み取った場合、読み取った複数の識別情報のうち、電波強度が最も強い状態で読み取った識別情報を前記ショットするゴルフクラブの識別情報の第１候補として、前記ゴルフクラブの識別情報を特定する処理を優先的に行う、請求項１〜８のいずれか１項に記載のショットデータ取得方法。
【請求項１０】
ゴルフクラブでゴルフボールをショットしたときのショットデータを取得するショットデータ取得システムであって、
ゴルフボールをショットするゴルフクラブの挙動及びゴルフボールの挙動の少なくとも一方を計測する計測ユニットと、
前記ゴルフクラブによるショットの際に、ゴルフスイング中の特徴点の発生を検出する特徴点検出センサと、
前記計測ユニットによる計測からショットデータを算出する処理装置と、
打席に設けられた読み取り装置であって、該読み取り装置の読み取りエリア内にあるゴルフクラブに記録保持されている、該ゴルフクラブを特定することができる識別情報を読み取る処理を定期的に行って、少なくとも１つのゴルフクラブの識別情報を取得するゴルフクラブ読み取り装置と、を備え、
前記処理装置は、
前記計測ユニットによる計測からショットデータを算出するショットデータ算出部と、
前記特徴点検出センサからの検出信号を用いて前記特徴点の発生を検出する特徴点検出部と、
前記ゴルフクラブ読み取り装置で読み取ることができた少なくとも1つの前記識別情報をショットするゴルフクラブの識別情報の候補として、前記候補である前記識別情報の読み取ったタイミングと前記特徴点の検出のタイミングとの時間差を用いて、前記候補から、ショットするゴルフクラブの識別情報を特定する識別情報特定部と、
特定した前記識別情報を前記ショットデータと対応付けて前記ショットデータを記録保存するメモリと、
を備えることを特徴とするショットデータ取得システム。
【請求項１１】
前記ショットデータ算出部は、特定した前記識別情報に応じて、前記ゴルフクラブのゴルフクラブヘッドの挙動の計測結果から前記ショットデータを算出するための処理パラメータを設定する、請求項１０に記載のショットデータ取得システム。
【請求項１２】
前記計測ユニットは、特定した前記識別情報に応じて、前記ゴルフボールのショット後の挙動を計測するための計測条件を変更する、請求項１０または１１に記載のショットデータ取得システム。
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
ユーザの片手によって把持される筐体を備える電子機器であって、
前記電子機器は前記筐体の表面に位置する第１および第２の操作部を含み、
前記第１の操作部は前記筐体の側部において露出し、
前記第２の操作部は前記筐体の上部において露出し、
前記第２の操作部は鉛直下方に押込み可能に構成され、
前記第２の操作部から前記鉛直下方へ延びる直線に対して垂直な平面であって前記第１の操作部を含む平面による前記筐体の断面形状は円形であり、かつ、当該円形断面の中心を前記直線が通り、
前記円形断面の上方において第１の基板を備え、当該基盤には、前記第２の操作部の接点とアンテナとが実装される、電子機器。
【請求項２】
前記筐体内に設けられる充電池保持部と、
前記充電池保持部の下方に、慣性センサが設けられる第２の基板とをさらに備える、請求項１に記載の電子機器。
【請求項３】
前記筐体内に設けられる振動部をさらに備え、
前記振動部と前記第２の基板とは、当該振動部および当該第２の基板とは異なる他の部材を介して間接的に接続される、請求項２に記載の電子機器。
【請求項４】
前記筐体内に設けられる充電池保持部と、
端子と、
前記充電池保持部の下方に、前記端子が設けられる第３の基板とをさらに備える、請求項１に記載の電子機器。
【請求項５】
前記筐体内に設けられる充電池と、
前記筐体内に設けられる振動部とをさらに備え、
前記筐体の中心から前記充電池までの距離は、前記筐体の中心から前記振動部までの距離よりも短い、請求項１に記載の電子機器。
【請求項６】
前記筐体内に設けられる慣性センサと、
前記筐体内に設けられる振動部とをさらに備え、
前記筐体の中心から前記慣性センサまでの距離は、前記筐体の中心から前記振動部までの距離よりも短い、請求項１に記載の電子機器。
【請求項７】
前記筐体内に設けられる振動部をさらに備え、
前記第２の操作部は、前記筐体の中心に関して前記振動部の反対側の位置に設けられる、請求項１に記載の電子機器。
【請求項８】
端子をさらに備え、
前記筐体における前記端子の両側の位置にネジ孔が形成される、請求項１に記載の電子機器。
【請求項９】
前記円形断面の中心に設けられる、充電池および充電池保持部の少なくとも一方と、
前記円形断面の中心に対して一方側に設けられる端子とをさらに備え、
前記第１の操作部は、前記円形断面の中心に対して前記一方側の反対側に設けられ、
前記第２の操作部は、前記円形断面の中心の上方に設けられる、請求項１に記載の電子機器。
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、プロセッサ及びメモリを備えるコンピュータにより実行されるものであり、
前記ゲームプログラムは、前記プロセッサに、
前記ゲームプログラムに基づくゲームにおいてプレイ可能なイベントを、ユーザに関連付けて前記メモリに記憶させるステップと、
前記イベントについて、当該イベントのプレイに基づく第１の条件が満たされると、第１の報酬を、前記ユーザに関連付けて前記メモリに記憶させるステップと、
プレイによらずに報酬を得る対象として当該イベントが前記ユーザによって選択される操作が行われた場合、前記ゲームを有利に進める上での価値が前記第１の報酬よりも低い第２の報酬を、前記ユーザに関連付けて前記メモリに記憶させるステップと、を実行させるゲームプログラム。
【請求項２】
前記第２の報酬を記憶させるステップは、プレイによらずに報酬を得る対象としてイベントが選択されてから予め定められた時間が経過した場合に、前記第２の報酬を、前記ユーザに関連付けて前記メモリに記憶させる、請求項１に記載のゲームプログラム。
【請求項３】
前記ゲームプログラムは、前記プロセッサに、
前記第１の条件が満たされるか前記ユーザによって選択される操作が行われると、前記イベントを完了させるステップをさらに実行させる、請求項１又は２に記載のゲームプログラム。
【請求項４】
前記第１の報酬を記憶させるステップは、前記第１の報酬に、前記イベントに関連付けられた第１のアイテムを含め、
前記第２の報酬を記憶させるステップは、前記第２の報酬に前記第１のアイテムを含め、
前記ゲームプログラムは、前記プロセッサに、
前記第１のアイテムを少なくとも用いて、前記イベントのプレイにおいて利用可能なオブジェクトを生成するステップをさらに実行させる、請求項１から３の何れか１項に記載のゲームプログラム。
【請求項５】
前記ゲームプログラムは、前記プロセッサに、
前記オブジェクトを、前記メモリに記憶された前記第１のアイテムを用いて、前記ゲームをより有利に進めることができるよう変化させるステップをさらに実行させる、請求項４に記載のゲームプログラム。
【請求項６】
前記第２の報酬を記憶させるステップは、プレイによらずに報酬を得る対象としてイベントが選択されて前記第２の報酬を前記メモリに記憶可能な状態となった後、前記第２の報酬の受け取りを指示するユーザ操作に応じて、前記第２の報酬を前記ユーザに関連付けて前記メモリに記憶させ、当該ユーザ操作が、前記第２の報酬を前記メモリに記憶可能な状態となってから所定期間内に受け付けられた場合には、前記第２の報酬に加えて第３の報酬を、前記ユーザに関連付けて前記メモリに記憶させる、請求項１から５の何れか１項に記載のゲームプログラム。
【請求項７】
プレイによらずに報酬を得る対象として選択可能なイベントの数には、上限が設けられている、請求項１から６の何れか１項に記載のゲームプログラム。
【請求項８】
前記ゲームプログラムは、前記プロセッサに、
消費アイテムを消費することにより、プレイによらずに報酬を得る対象として選択可能なイベントの上限数を増加させるステップをさらに実行させる、請求項７に記載のゲームプログラム。
【請求項９】
前記増加させるステップは、前記消費アイテムを消費することにより、有効期間内に限り、前記上限数を増加させる、請求項８に記載のゲームプログラム。
【請求項１０】
コンピュータがゲームプログラムを実行する方法であって、
前記コンピュータは、プロセッサおよびメモリを備え、
前記プロセッサが請求項１に記載の各ステップを実行する方法。
【請求項１１】
情報処理装置であって、
前記情報処理装置は、
ゲームプログラムを記憶するように構成された記憶部と、
前記情報処理装置の動作を制御するように構成された制御部と、を備え、
前記制御部は、
前記ゲームプログラムに基づくゲームにおいてプレイ可能なイベントを、ユーザに関連付けて記憶させ、
前記イベントについて、当該イベントのプレイに基づく第１の条件が満たされると、第１の報酬を、前記ユーザに関連付けて記憶させ、
プレイによらずに報酬を得る対象として当該イベントが前記ユーザによって選択される操作が行われた場合、前記ゲームを有利に進める上での価値が前記第１の報酬よりも低い第２の報酬を、前記ユーザに関連付けて記憶させる、情報処理装置。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
シートに電磁波を照射する照射部と、
前記照射部により前記電磁波が照射された前記シートを搬出部に導く搬送ガイドと、
前記搬送ガイドにより前記シートが搬送される搬送経路の所定の位置に設けられた部材であって、前記照射部による前記電磁波の照射によって前記シートから生じる水分が前記搬送ガイドに結露することを抑制する結露抑制部材と、
を備えることを特徴とする照射装置。
【請求項２】
前記結露抑制部材の温度は、前記照射部により前記シートに前記電磁波が照射された際に、前記搬送ガイドの温度よりも高くなる、
ことを特徴とする請求項１に記載の照射装置。
【請求項３】
前記結露抑制部材は、前記搬送ガイドよりも低い熱伝導性を有する、
ことを特徴とする請求項１又は２に記載の照射装置。
【請求項４】
前記結露抑制部材は、シリコーン樹脂製であり、
前記搬送ガイドは、金属製である、
ことを特徴とする請求項１から３のいずれか１項に記載の照射装置。
【請求項５】
前記結露抑制部材と前記搬送ガイドとの間に断熱部材を更に備える、
ことを特徴とする請求項１から４のいずれか１項に記載の照射装置。
【請求項６】
前記所定の位置は、前記搬送ガイドの前記搬送経路を挟んで前記照射部と対向する部分のうち、前記搬送ガイドにおける前記搬出部の側の縁部である、
ことを特徴とする請求項１から５のいずれか１項に記載の照射装置。
【請求項７】
前記所定の位置は、前記搬送経路における下流側ほど鉛直上方へ変位する傾斜部である、
ことを特徴とする請求項１から６のいずれか１項に記載の照射装置。
【請求項８】
前記所定の位置は、前記シートが前記搬送経路において下流側へ移動するほど鉛直上方へ変位するように導く傾斜部である、
ことを特徴とする請求項１から７のいずれか１項に記載の照射装置。
【請求項９】
前記シートは、加熱により膨張する熱膨張性シートであり、
前記シートの表面に電磁波を熱に変換する変換層が印刷された状態で、前記シートが前記表面を前記照射部に向けて前記搬送経路を搬送される場合、前記照射部は、前記シートに電磁波を照射することにより前記シートを膨張させる、
ことを特徴とする請求項１から８のいずれか１項に記載の照射装置。
【請求項１０】
前記結露抑制部材は、前記照射部による電磁波を照射によって前記熱膨張性シートが膨張を開始する温度に対して耐熱性を有する、
ことを特徴とする請求項９に記載の照射装置。
【請求項１１】
前記シートの表面に少なくとも１色のインクでカラーインク層が印刷された状態で、前記シートが前記表面を前記照射部とは反対側に向けて前記搬送経路を搬送される場合、前記照射部は、前記シートに電磁波を照射することにより前記カラーインク層を乾燥させる、
ことを特徴とする請求項９又は１０に記載の照射装置。
【請求項１２】
請求項９から１１のいずれか１項に記載の照射装置と、
前記変換層を前記シートに印刷する印刷装置と、
を備えることを特徴とする造形システム。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
印刷ジョブに基づいて用紙上に画像形成を行う印刷手段と、画像形成された複数の用紙の穿孔部分に綴じ部材が貫通した状態の製本成果物を生成する製本処理を行うよう制御する制御手段とを有する画像形成装置であって、
用紙サイズに応じた長さで綴じ部材のカット処理を行うカット手段と、
画像形成された用紙に前記綴じ部材を貫通させるための孔を形成する穿孔処理を行う穿孔手段と、
用紙の穿孔部分にカット処理された前記綴じ部材が貫通するように複数の用紙を積載する積載手段と、
前記複数の用紙の穿孔部分を貫通した前記綴じ部材を変形させることで前記積載手段に積載された複数の用紙を綴じる綴じ手段と、
前記綴じ手段により綴じられた複数の用紙を排出する排出手段とを有し、
前記制御手段は、綴じ部材のカット処理の後にジョブの中止が指示された場合、当該ジョブの中止の指示がジョブの最初の用紙の前記印刷手段への給紙処理の開始後である場合、前記積載手段に前記製本成果物を構成するべきすべての用紙の積載が完了していなくても、積載済みの用紙に対して、前記綴じ手段による綴じ処理と前記排出手段による排出処理を行うよう制御する、ことを特徴とする画像形成装置。
【請求項２】
前記制御手段は、当該ジョブの中止の指示が、綴じ部材のカット処理の後であって、ジョブの最初の用紙の前記印刷手段への給紙処理の開始前である場合、当該ジョブの実行を中止して前記カットされた綴じ部材を保持する、ことを特徴とする請求項１に記載の画像形成装置。
【請求項３】
前記制御手段は、前記製本処理が指定された次のジョブにおいて、用紙サイズが前記保持された綴じ部材に対応している場合、前記保持された綴じ部材を用いて製本処理を行うよう、前記穿孔手段、前記積載手段、前記綴じ手段および前記排出手段を制御する、ことを特徴とする請求項２に記載の画像形成装置。
【請求項４】
前記制御手段は、前記製本処理が指定された次のジョブにおいて、用紙サイズが前記保持された綴じ部材に対応していない場合、前記保持された綴じ部材が除去された後、当該次のジョブの用紙サイズに応じた長さで綴じ部材のカット処理を行うよう前記カット手段を制御し、当該カットされた綴じ部材を用いて製本処理を行うよう、前記穿孔手段、前記積載手段、前記綴じ手段および前記排出手段を制御する、ことを特徴とする請求項２に記載の画像形成装置。
【請求項５】
さらに、メッセージを表示する表示手段を有し、
前記制御手段は、前記製本処理が指定された次のジョブにおいて、用紙サイズが前記保持された綴じ部材に対応していない場合、前記保持された綴じ部材を除去するよう指示するメッセージを前記表示手段に表示させる、ことを特徴とする請求項２又は４に記載の画像形成装置。
【請求項６】
ユーザに対するメッセージを表示する表示手段と、
メッセージに対してユーザにより指示を入力する入力手段と、をさらに有し、
ユーザに前記カットされた綴じ部材を除去するか保持するかを選択させるメッセージを前記表示手段に表示し、
ユーザにより前記入力手段から、前記カットされた綴じ部材を除去することを選択する指示が入力された場合、前記表示手段に綴じ部材の除去を行うよう指示するメッセージを表示する、ことを特徴とする請求項２に記載の画像形成装置。
【請求項７】
前記制御手段は、
ユーザにより前記入力手段から、前記カットされた綴じ部材を保持することを選択する指示が入力された場合、前記製本処理が指定された次のジョブにおいて、用紙サイズが前記カットされた綴じ部材に対応していれば、前記カットされた綴じ部材を用いて製本処理を行うよう前記穿孔手段、前記積載手段、前記綴じ手段および前記排出手段を制御し、
用紙サイズが前記カットされた綴じ部材に対応していなければ、前記表示手段に綴じ部材の除去を行うよう指示するメッセージを表示する、ことを特徴とする請求項６に記載の画像形成装置。
【請求項８】
前記制御手段は、当該ジョブの中止の指示が、綴じ部材のカット処理の後であって、ジョブの最初の用紙の前記印刷手段への給紙処理の開始前である場合、前記カットされた綴じ部材に対して前記綴じ手段による綴じ処理と前記排出手段による排出処理を行うよう制御する、ことを特徴とする請求項１に記載の画像形成装置。
【請求項９】
印刷ジョブに基づいて用紙上に画像形成を行う印刷手段を有し、画像形成された複数の用紙の穿孔部分に綴じ部材が貫通した状態の製本成果物を生成する製本処理を行う画像形成装置の制御方法であって、
用紙サイズに応じた長さで綴じ部材のカット処理を行うカット工程と、
画像形成され用紙に綴じ部材を貫通させるための孔を形成する穿孔処理を行う穿孔工程と、
用紙の穿孔部分にカットされた綴じ部材貫通するように複数の用紙を積載する積載工程と、
前記複数の用紙の穿孔部分を貫通した綴じ部材を変形させることで積載された複数の用紙を綴じる綴じ工程と、
前記綴じ工程で綴じられた複数の用紙を排出する排出工程と、
綴じ部材のカット処理の後にジョブの中止が指示された場合、当該ジョブの中止の指示がジョブの最初の用紙の前記印刷手段への給紙処理の開始後である場合、積載済みの用紙に対して、前記製本成果物を構成するべきすべての用紙の積載が完了していなくても、前記綴じ工程による綴じ処理と前記排出工程による排出処理を行うよう制御する制御工程と、を備えることを特徴とする制御方法。
【請求項１０】
請求項９に記載された制御方法をコンピュータに実行させるためのプログラム。
【手続補正２】
【補正対象書類名】明細書
【補正対象項目名】０００７
【補正方法】変更
【補正の内容】
【０００７】
上記目的を達成するため、本発明の画像形成装置は以下の構成を備える。
印刷ジョブに基づいて用紙上に画像形成を行う印刷手段と、画像形成された複数の用紙の穿孔部分に綴じ部材が貫通した状態の製本成果物を生成する製本処理を行うよう制御する制御手段とを有する画像形成装置であって、用紙サイズに応じた長さで綴じ部材のカット処理を行うカット手段と、画像形成された用紙に前記綴じ部材を貫通させるための孔を形成する穿孔処理を行う穿孔手段と、用紙の穿孔部分にカット処理された前記綴じ部材が貫通するように複数の用紙を積載する積載手段と、前記複数の用紙の穿孔部分を貫通した前記綴じ部材を変形させることで前記積載手段に積載された複数の用紙を綴じる綴じ手段と、前記綴じ手段により綴じられた複数の用紙を排出する排出手段とを有し、前記制御手段は、綴じ部材のカット処理の後にジョブの中止が指示された場合、当該ジョブの中止の指示がジョブの最初の用紙の前記印刷手段への給紙処理の開始後である場合、前記積載手段に前記製本成果物を構成するべきすべての用紙の積載が完了していなくても、積載済みの用紙に対して、前記綴じ手段による綴じ処理と前記排出手段による排出処理を行うよう制御する、ことを特徴とする。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
パパイヤ抽出物と、ケール、モリンガ、スピルリナ、アロエベラ、アサイー、クコ、マキベリー、ドラゴンフルーツ、ココナッツ、カカオ、クロレラ、マカ、アマランサス、チアシード、バオバブ、ウィートグラス、ノニ、及びアロニアから選ばれる少なくとも１種のスーパーフードとを含有する経口用組成物。
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
遊技区間として、通常区間と有利区間とを有し、
有利区間では、所定の遊技状態となる場合を有し、
通常区間では、所定の遊技状態となる場合を有さず、
所定の遊技状態は、ストップスイッチの有利な操作態様を報知可能な遊技状態であり、
所定条件を満たした場合は、所定の遊技状態の終了画像を画像表示手段に表示可能とし、
所定のフリーズを実行しているときに、所定の遊技状態の終了画像と、遊技者の遊技へののめり込みを防止するための注意喚起に関する画像（以下、「注意喚起に関する画像」と称す）が前記画像表示手段に表示されている場合を有し、
注意喚起に関する画像は、前記画像表示手段の中心より上側に表示されるように構成されている
ことを特徴とする回胴式遊技機。
【手続補正２】
【補正対象書類名】明細書
【補正対象項目名】０００６
【補正方法】変更
【補正の内容】
【０００６】
本態様に係る回胴式遊技機は、
遊技区間として、通常区間と有利区間とを有し、
有利区間では、所定の遊技状態となる場合を有し、
通常区間では、所定の遊技状態となる場合を有さず、
所定の遊技状態は、ストップスイッチの有利な操作態様を報知可能な遊技状態であり、
所定条件を満たした場合は、所定の遊技状態の終了画像を画像表示手段に表示可能とし、
所定のフリーズを実行しているときに、所定の遊技状態の終了画像と、遊技者の遊技へののめり込みを防止するための注意喚起に関する画像（以下、「注意喚起に関する画像」と称す）が前記画像表示手段に表示されている場合を有し、
注意喚起に関する画像は、前記画像表示手段の中心より上側に表示されるように構成されている
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
遊技が４００回行われたときに少なくとも５０回は再遊技役に当選するように設計され、
再遊技役が成立した遊技の次の遊技で賭け設定される遊技価値を「０」として算出した場合における、遊技が４００回行われたときの出玉率は、１／３以上である
ことを特徴とする。